(57)【要約】【課題】本発明は大容量記憶手段に蓄積されている画像データを当該画像データの利用性を向上させつつ効率的に消去する画像形成装置を提供する。【解決手段】複写装置１は、スキャナ／ＩＰＵ４から入力される複数の画像データを大容量記憶部８に蓄積し、大容量記憶部８に蓄積されている複数の画像データを個々別々に読み出して、画像表示部１３に表示し、また、プリンタ１０で用紙に記録出力するに際して、大容量記憶部８からの画像データの読出回数を画像データ毎に計数し、当該計数回数を消去条件として、大容量記憶部８に蓄積されている複数の画像データを個別に消去する。したがって、画像データを消去するためのユーザの負荷を低減することができるとともに、確実に使用された画像データから消去することができ、画像データを有効利用することができるとともに、有限の大容量記憶部８の利用性を容易に向上させることができる。【選択図】　　　　　図１
2004122657.tif 000002
【特許請求の範囲】
【請求項１】
入力される複数の画像データを大容量記憶手段に蓄積し、当該大容量記憶手段に蓄積されている複数の画像データを個々別々に読み出して、表示手段に表示し、また、記録手段で用紙に記録出力する画像形成装置であって、前記大容量記憶手段からの前記画像データの読出回数を前記画像データ毎に計数し、当該計数回数を消去条件として、前記大容量記憶手段に蓄積されている前記複数の画像データを個別に消去することを特徴とする画像形成装置。
【請求項２】
前記画像形成装置は、前記表示手段に表示するために前記大容量記憶手段から前記画像データを読み出す表示用読出回数を前記読出回数として計数して、当該計数結果を前記消去条件として、前記大容量記憶手段に蓄積されている前記複数の画像データを個別に消去することを特徴とする画像形成装置。
【請求項３】
前記画像形成装置は、前記記録手段で記録出力するために前記大容量記憶手段から前記画像データを読み出す記録用読出回数を前記読出回数として計数して、当該計数結果を前記消去条件として、前記大容量記憶手段に蓄積されている前記複数の画像データを個別に消去することを特徴とする請求項１記載の画像形成装置。
【請求項４】
前記画像形成装置は、前記表示手段に表示するために前記大容量記憶手段から前記画像データを読み出す表示用読出回数と、前記記録手段で記録出力するために前記大容量記憶手段から前記画像データを読み出す記録用読出回数とを、それぞれ個別に係数し、当該計数した前記表示用読出回数が予め設定された規定表示用読出回数以上であって、かつ、前記記録用読出回数が予め設定された規定記録用読出回数以上であることを消去条件として、当該消去条件を満たす前記画像データを前記大容量記憶手段から消去することを特徴とする請求項１記載の画像形成装置。
【請求項５】
前記画像形成装置は、前記大容量記憶手段に蓄積されている前記複数の画像データの消去条件を適宜変更可能であることを特徴とする請求項１から請求項４のいずれかに記載の画像形成装置。
【発明の詳細な説明】
【０００１】
【発明の属する技術分野】
本発明は、画像形成装置に関し、詳細には、大容量記憶手段に蓄積されている画像データを当該画像データの利用性を向上させつつ効率的に消去する画像形成装置に関する。
【０００２】
【従来の技術】
【特許文献１】
特開２０００−３４７５３３号公報
従来から画像形成装置においては、大量の画像を蓄積する大容量記憶装置を備えたものが出現している。
【０００３】
例えば、特許文献１には、大容量記憶装置に多数の広告画像を蓄積し、この大容量記憶装置に蓄積されている広告画像をプリント出力したり、操作部の表示部等に広告画像を表示する画像形成装置が開示されている。
【０００４】
ところが、大容量記憶装置であっても、その容量が有限であるにもかかわらず、特許文献１には、大容量記憶装置に蓄積された広告を消去する方法は開示されていない。
【０００５】
そして、画像形成装置における容量に限りのある大容量記憶装置のデータ管理方法としては、従来、一般的に、例えば、大容量記憶装置の残容量が所定の容量以下になったことを検出すると、その旨をユーザに通知し、広告画像等のデータを消去する権限を有したユーザが消去してよい広告を選択して消去する方法、あるいは、広告の保存期間を予め決めておき、期限が過ぎると、自動的に消去する方法等が用いられている。
【０００６】
【発明が解決しようとする課題】
しかしながら、このような従来の画像形成部における大容量記憶装置のデータ管理方法にあっては、以下のような問題があった。
【０００７】
すなわち、データ消去権限を有するユーザによる消去方法にあっては、蓄積データを消去できる権限を有したユーザがいないときには、大容量記憶装置に蓄積されているデータを消去することができないだけでなく、データ消去権限を有するユーザがいる場合であっても、多くの蓄積データのなかからどのデータを消去してよいのかを判断するのが困難であり、データ管理の効率が悪いという問題があった。
【０００８】
また、保存期間の経過による自動消去方法にあっては、大容量記憶装置に蓄積されている広告画像等の蓄積データが、表示、または、プリント出力されることにより、多くの人に広告等の内容を知らしめるといったデータ本来の目的が確実に行われたかどうか分からない等の問題があった。
【０００９】
そこで、請求項１記載の発明は、入力される複数の画像データを大容量記憶手段に蓄積し、当該大容量記憶手段に蓄積されている複数の画像データを個々別々に読み出して、表示手段に表示し、また、記録手段で用紙に記録出力するに際して、大容量記憶手段からの画像データの読出回数を画像データ毎に計数し、当該計数回数を消去条件として、大容量記憶手段に蓄積されている複数の画像データを個別に消去することにより、画像データを消去するためのユーザの負荷を低減しつつ、確実に使用された画像データから消去し、画像データを有効利用しつつ、有限の大容量記憶手段の利用性を容易に向上させることのできる画像形成装置を提供することを目的としている。
【００１０】
請求項２記載の発明は、表示手段に表示するために大容量記憶手段から画像データを読み出す表示用読出回数を読出回数として計数して、当該計数結果を消去条件として、大容量記憶手段に蓄積されている複数の画像データを個別に消去することにより、大容量記憶手段に記憶されている画像データ、例えば、広告の画像データが所定回数表示されてから消去し、画像データの有効な表示利用を図りつつ、有限の大容量記憶手段の利用性を容易に向上させることのできる画像形成装置を提供することを目的としている。
【００１１】
請求項３記載の発明は、記録手段で記録出力するために大容量記憶手段から画像データを読み出す記録用読出回数を読出回数として計数して、当該計数結果を消去条件として、大容量記憶手段に蓄積されている複数の画像データを個別に消去することにより、大容量記憶手段に記憶されている画像データ、例えば、広告の画像データが所定回数記録出力されてから消去し、画像データの有効な記録出力利用を図りつつ、有限の大容量記憶手段の利用性を容易に向上させることのできる画像形成装置を提供することを目的としている。
【００１２】
請求項４記載の発明は、表示手段に表示するために大容量記憶手段から画像データを読み出す表示用読出回数と、記録手段で記録出力するために大容量記憶手段から画像データを読み出す記録用読出回数とを、それぞれ個別に係数し、当該計数した表示用読出回数が予め設定された規定表示用読出回数以上であって、かつ、記録用読出回数が予め設定された規定記録用読出回数以上であることを消去条件として、当該消去条件を満たす画像データを大容量記憶手段から消去することにより、大容量記憶手段に記憶されている画像データ、例えば、広告の画像データが所定回数表示され、かつ、所定回数記録出力されてから消去し、画像データの有効利用をより一層図りつつ、有限の大容量記憶手段の利用性を容易に向上させることのできる画像形成装置を提供することを目的としている。
【００１３】
請求項５記載の発明は、大容量記憶手段に蓄積されている複数の画像データの消去条件を適宜変更可能とすることにより、ユーザの利用形態に応じて画像データの消去条件を変更し、画像データの有効利用を図りつつ、有限の大容量記憶手段のより一層の利用性を容易に向上させることのできる画像形成装置を提供することを目的としている。
【００１４】
【課題を解決するための手段】
請求項１記載の発明の画像形成部は、入力される複数の画像データを大容量記憶手段に蓄積し、当該大容量記憶手段に蓄積されている複数の画像データを個々別々に読み出して、表示手段に表示し、また、記録手段で用紙に記録出力する画像形成装置であって、前記大容量記憶手段からの前記画像データの読出回数を前記画像データ毎に計数し、当該計数回数を消去条件として、前記大容量記憶手段に蓄積されている前記複数の画像データを個別に消去することにより、上記目的を達成している。
【００１５】
上記構成によれば、入力される複数の画像データを大容量記憶手段に蓄積し、当該大容量記憶手段に蓄積されている複数の画像データを個々別々に読み出して、表示手段に表示し、また、記録手段で用紙に記録出力するに際して、大容量記憶手段からの画像データの読出回数を画像データ毎に計数し、当該計数回数を消去条件として、大容量記憶手段に蓄積されている複数の画像データを個別に消去するので、画像データを消去するためのユーザの負荷を低減することができるとともに、確実に使用された画像データから消去することができ、画像データを有効利用することができるとともに、有限の大容量記憶手段の利用性を容易に向上させることができる。
【００１６】
この場合、例えば、請求項２に記載するように、前記画像形成装置は、前記表示手段に表示するために前記大容量記憶手段から前記画像データを読み出す表示用読出回数を前記読出回数として計数して、当該計数結果を前記消去条件として、前記大容量記憶手段に蓄積されている前記複数の画像データを個別に消去するものであってもよい。
【００１７】
上記構成によれば、表示手段に表示するために大容量記憶手段から画像データを読み出す表示用読出回数を読出回数として計数して、当該計数結果を消去条件として、大容量記憶手段に蓄積されている複数の画像データを個別に消去するので、大容量記憶手段に記憶されている画像データ、例えば、広告の画像データが所定回数表示されてから消去することができ、画像データの有効な表示利用を図ることができるとともに、有限の大容量記憶手段の利用性を容易に向上させることができる。
【００１８】
また、例えば、請求項３に記載するように、前記画像形成装置は、前記記録手段で記録出力するために前記大容量記憶手段から前記画像データを読み出す記録用読出回数を前記読出回数として計数して、当該計数結果を前記消去条件として、前記大容量記憶手段に蓄積されている前記複数の画像データを個別に消去するものであってもよい。
【００１９】
上記構成によれば、記録手段で記録出力するために大容量記憶手段から画像データを読み出す記録用読出回数を読出回数として計数して、当該計数結果を消去条件として、大容量記憶手段に蓄積されている複数の画像データを個別に消去するので、大容量記憶手段に記憶されている画像データ、例えば、広告の画像データが所定回数記録出力されてから消去することができ、画像データの有効な記録出力利用を図ることができるとともに、有限の大容量記憶手段の利用性を容易に向上させることができる。
【００２０】
さらに、例えば、請求項４に記載するように、前記画像形成装置は、前記表示手段に表示するために前記大容量記憶手段から前記画像データを読み出す表示用読出回数と、前記記録手段で記録出力するために前記大容量記憶手段から前記画像データを読み出す記録用読出回数とを、それぞれ個別に係数し、当該計数した前記表示用読出回数が予め設定された規定表示用読出回数以上であって、かつ、前記記録用読出回数が予め設定された規定記録用読出回数以上であることを消去条件として、当該消去条件を満たす前記画像データを前記大容量記憶手段から消去するものであってもよい。
【００２１】
上記構成によれば、表示手段に表示するために大容量記憶手段から画像データを読み出す表示用読出回数と、記録手段で記録出力するために大容量記憶手段から画像データを読み出す記録用読出回数とを、それぞれ個別に係数し、当該計数した表示用読出回数が予め設定された規定表示用読出回数以上であって、かつ、記録用読出回数が予め設定された規定記録用読出回数以上であることを消去条件として、当該消去条件を満たす画像データを大容量記憶手段から消去するので、大容量記憶手段に記憶されている画像データ、例えば、広告の画像データが所定回数表示され、かつ、所定回数記録出力されてから消去することができ、画像データの有効利用をより一層図ることができるとともに、有限の大容量記憶手段の利用性を容易に向上させることができる。
【００２２】
また、例えば、請求項５に記載するように、前記画像形成装置は、前記大容量記憶手段に蓄積されている前記複数の画像データの消去条件を適宜変更可能なものであってもよい。
【００２３】
上記構成によれば、大容量記憶手段に蓄積されている複数の画像データの消去条件を適宜変更可能としているので、ユーザの利用形態に応じて画像データの消去条件を変更することができ、画像データの有効利用を図ることができるとともに、有限の大容量記憶手段のより一層の利用性を容易に向上させることができる。
【００２４】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２５】
図１〜図６は、本発明の画像形成装置の一実施の形態を示す図であり、図１は、本発明の画像形成装置の一実施の形態を適用した複写装置１の要部ブロック構成図である。
【００２６】
図１において、複写装置１は、メイン制御部２、操作部３、スキャナ／ＩＰＵ４、ＡＤＦ（Ａｕｔｏ　Ｄｏｃｕｍｅｎｔ　Ｆｉｅｄｅｒ）５、圧縮部６、メモリコントロール部７、大容量記憶部８、伸張部９、プリンタ１０、表示メモリコントロール部１１、表示メモリ１２、画像表示部１３及び画像データ変換部１４等を備えている。なお、図１において、細線は、制御信号の流れを示し、太線は、画像データの流れを示している。
【００２７】
操作部３は、コピー画像形成動作開始、広告原稿読取動作開始、大容量記憶部８に蓄積されている画像データのプリント開始を指示するコピースタートキー、複写枚数、広告表示時間、広告表示枚数、広告を消去するまでの表示／プリント回数等を設定するのに使用するテンキー等の各種操作キーを備え、設定された機能、データ等を表示する液晶タッチパネル等を備えている。この液晶タッチパネルは、スキャナ／ＩＰＵ４に読み取らせた広告原稿等の原稿の画像データを大容量記憶部８に蓄積させるための設定キー、大容量記憶部８に蓄積されている画像データをプリントする設定キー、画像表示部１３に表示する広告枚数を設定するキー、広告表示時間を設定するキー、広告を消去する条件を変更する設定キー等を表示し、この液晶タッチパネルの表示キーを操作することで、当該表示キーに割り当てられている命令を指示操作することができる。
【００２８】
操作部３は、キー操作で設定された機能内容やコピースタート等の信号をメイン制御部２に送信し、メイン制御部２が、当該操作内容に応じて、コピー動作や広告原稿の読取動作、蓄積データのプリント動作等を開始する。
【００２９】
ＡＤＦ５は、セットされた原稿のサイズを検知するためのセンサ類を備え、検知した原稿サイズデータをメイン制御部２に送信する。ＡＤＦ５は、メイン制御部２のコマンドに従って、セットされた原稿を所定のタイミングで、スキャナ／ＩＰＵ４のコンタクトガラス上に原稿を送給し、スキャナ／ＩＰＵ４で読み取りの完了した当該原稿を所定のタイミングで排紙する。
【００３０】
スキャナ／ＩＰＵ４は、メイン制御部２のコマンドに従って、ＡＤＦ４により所定のタイミングでコンタクトガラス上に搬送されきてセットされた原稿にランプから読取光を照射し、当該読取光の原稿での反射光をミラー群、フィルタ、レンズ等を介してＣＣＤ等の光電変換素子に結像して、光電変換素子で光電変換された信号を増幅、Ａ／Ｄ変換して、例えば、８ｂｉｔ／画素、６００ｄｐｉのデジタル画像データを得る。スキャナ／ＩＰＵ４は、このデジタル画像データに変倍等の様々な画像処理を施した後、主副同期信号とともに圧縮部６にデジタル画像データとして送信する。
【００３１】
プリンタ（記録手段）１０は、メイン制御部２からの設定に応じて、伸張部１９に主副同期信号を送信し、伸張部１９から送られてくるデジタル画像データをプリンタ固有の特性に合わせるために、階調処理等を施した後、この画像データに基づいて変調した書込光を一様に帯電された感光体上に照射して、感光体上に静電潜像を形成する。プリンタ１０は、静電潜像の形成された感光体に現像部からトナーを供給して顕像化して、給紙部から搬送されてくる用紙に感光体上のトナー像を転写し、当該トナー像の形成された用紙を定着部に搬送して、定着部でトナー像を用紙に溶融定着させて、画像の形成された用紙を複写装置１外に設けられた排紙トレイ上に排出する。
【００３２】
メイン制御部２は、操作部３で設定された機能に従って、ＡＤＦ５、スキャナ／ＩＰＵ４、プリンタ１０、圧縮部６、メモリコントロール部７、伸張部１９、画像データ変換部１４、表示メモリコントロール部１１の設定・制御を行って、当該設定された機能処理を実行する。また、メモリ制御部２は、操作部３で設定された機能やコピースタート信号等により、ＡＤＦ５への原稿の給紙タイミングの送信、スキャナ／ＩＰＵ４へのスキャナスタート信号の送信、スキャナ／ＩＰＵ４への画像処理の設定、メモリコントロール部７に対する大容量記憶部８へのリード／ライトの設定、プリンタ１０の様々なモータ、クラッチ等の負荷の駆動、給紙部からの用紙の送給を行って、用紙にトナー像を定着するコピー動作制御を行い、また、メモリコントロール部７に対する大容量記憶部８へのリードの設定を行って、画像表示部１３に画像を表示する広告表示を行い、さらに、メモリコントロール部７に対する大容量記憶部８へのリードの設定、プリンタ１０の様々なモータ、クラッチ等の負荷の駆動、給紙部からの用紙の送給、用紙にトナー像を定着して排紙するプリント動作制御を行うと同時に、表示時間、表示画面数、大容量記憶部８からの表示用読出回数、プリント用読出回数、消去条件、消去可否設定、ＩＤを画像データと関連付けて管理する大容量記憶部管理処理を実行する。
【００３３】
圧縮部６は、メイン制御部２からの設定、スキャナ／ＩＰＵ４から送られてくる主副同期信号に従って、大容量記憶部８に画像データを記憶させるために画像データの圧縮処理を行う。
【００３４】
メモリコントロール部７は、メイン制御部２からの設定に従って、圧縮部６から送られてくるデジタル画像データと当該画像データのＩＤ、表示時間、表示画面数、表示用読出回数、プリント用読出回数、消去条件、消去可否設定を大容量記憶部８に書き込む。また、メモリコントロール部７は、メイン制御部２から大容量記憶部８にデジタル画像データ読出設定が行われると、設定されたＩＤに対する表示時間、表示画面数、表示用読出回数、プリント用読出回数、消去条件、消去可否設定を大容量記憶部８から読み出し、伸張部１９からのトリガ信号に応じて、設定されたＩＤに対する画像データを読み出して、伸張部１９に送信するとともに、読み出した表示時間、表示画面数、表示用読出回数、プリント用読出回数、消去条件、消去可否設定をメイン制御部２に送信する。
【００３５】
大容量記憶部（大容量記憶手段）８は、電源がＯＦＦ（オフ）の状態であっても蓄積データを保持するＨＤＤ（ハードディスク）等の画像データを複数記憶できる大容量記憶装置であり、メモリコントロール部７の指示に従って、画像データと画像データのＩＤ、表示時間、表示画面数、表示用読出回数、プリント用読出回数、消去条件、消去可否設定等の蓄積／出力を行う。
【００３６】
伸張部１９は、メイン制御部２からの設定、プリンタ１０または画像データ変換部１４から送られてくる主副同期信号に従って、メモリコントロール部７から送られてくるデジタル画像データの伸張処理を行って、プリンタ１０や画像データ変換部１４に出力する。
【００３７】
画像データ変換部１４は、メイン制御部２からの表示用画像データ更新指示、画像表示部１３に表示する画面数に応じて、伸張部１９に主副同期信号を送信し、伸張部１９から送られてくるデジタル画像データを画像表示部１３の画像データフォーマットに合わせるため、縮小・解像度変換（例えば、６００ｄｐｉ→３００ｄｐｉ）、階調数変換（例えば、８ｂｉｔ／画素→４ｂｉｔ／画素）等を行って、表示メモリコントロール部１１に画像データを出力する。
【００３８】
表示メモリコントロール部１１は、メイン制御部２からの表示用画像データ更新指示、画像表示部１３に表示する画面数に応じて、画像データ変換部１４から送られてくる画像データと主副同期信号に従って、表示メモリ１２の所定アドレスのデータを書き換える。
【００３９】
表示メモリ１２は、画像表示部１３に表示する画像データのメモリであり、表示メモリコントロール部１１の制御によりリード／ライトが行われる。
【００４０】
画像表示部（（表示手段）１３は、例えば、液晶からなる画像表示装置であり、表示メモリコントロール部１１により表示メモリ１２から読み出される画像データを表示する。
【００４１】
次に、本実施の形態の作用を説明する。本実施の形態の複写装置１は、大容量記憶部８に広告画像等のデータを大量に蓄積するとともに、当該データの大容量記憶部８からの読出回数に基づいて当該大容量記憶部８における当該データの管理を行って容量に限りのある大容量記憶部８の容量管理を行う。なお、以下の説明においては、広告原稿を読み取って、大容量記憶部８に蓄積し、当該広告原稿の画像データを管理する場合について説明する。
【００４２】
まず、大容量記憶部８への画像データ蓄積処理について、図２のフローチャートに基づいて説明する。
【００４３】
複写装置１は、操作部３で原稿読取モードの選択と表示時間、表示画面数、消去条件が入力され、表示したい広告原稿がＡＤＦ５にセットれて、コピースタートキーが押下されると、メモリ制御部２が、圧縮部６に対する圧縮設定、メモリコントロール部７に対する大容量記憶部８への書込設定を行い（ステップＳ１０１）、ＡＤＦ５を動作させて所定のタイミングでセットされた広告原稿をスキャナ／ＩＰＵ４のコンタクトガラスに搬送させる（ステップＳ１０２）。
【００４４】
次に、メモリ制御部２は、スキャナ／ＩＰＵ４を動作させ、スキャナ／ＩＰＵ４は、ＡＤＦ５からコンタクトガラス上に搬送されてきた広告原稿にランプから読取光を照射し、この読取光の原稿からの反射光をミラー群、フィルタ、レンズを介しＣＣＤ等の光電変換素子に結像させる。スキャナ／ＩＰＵ４は、光電変換素子で光電変換された信号を増幅、Ａ／Ｄ変換し、例えば、８ｂｉｔ／画素、６００ｄｐｉのデジタル画像データを得る。スキャナ／ＩＰＵ４は、このデジタル画像データに変倍等の様々な画像処理を施した後、主副同期信号とともに圧縮部６にデジタル画像データとして送信する（ステップＳ１０３）。
【００４５】
圧縮部６は、主副同期信号に応じて、スキャナ／ＩＰＵ４からのデジタル画像データを圧縮処理してメモリコントロール部７に送信する（ステップＳ１０４）。
【００４６】
メモリコントロール部７は、メイン制御部２から設定される上記広告原稿を識別するＩＤ、表示時間、表示画面数、表示用読出回数（初期値：０）、プリント用読出回数（初期値：０）、該画像データを消去する条件、消去条件成立時に当該画像データを消去するか否かを決定する消去条件成立時消去／非消去設定（消去可否設定）とともに上記広告原稿の画像データを大容量記憶部８に書き込んで蓄積させる（ステップＳ１０５）。
【００４７】
メイン制御部２は、メモリコントロール７による画像データの大容量記憶部８への格納が完了すると、原稿がまだＡＤＦ５にセットされているかチェックし（ステップＳ１０６）、ＡＤＦ５に原稿がセットされているときには、ステップＳ１０２に戻って、ＡＤＦ５による原稿の搬送処理から上記同様に処理する（ステップＳ１０２〜Ｓ１０６）。
【００４８】
ステップＳ１０６で、ＡＤＦ５に原稿が残っていないときには、メイン制御部２は、大容量記憶部８への広告原稿の画像データへの蓄積処理を終了する。
【００４９】
したがって、上記大容量記憶部８への広告原稿の画像データの蓄積処理を行うことで、画像表示部１３に表示させたい原稿画像、原稿ＩＤ、表示時間、表示画面数、表示用読出回数、プリント用読出回数、消去条件、消去可否設定を大容量記憶部８に蓄積して管理することができる。
【００５０】
なお、上記説明では、大容量記憶部８に蓄積することを目的として、原稿の読み取りを行って大容量記憶部８へ蓄積する場合について説明しているが、複写装置１は、大容量記憶部８への画像データの蓄積だけでなく、コピー動作時に読み取った原稿の画像データを大容量記憶部８に一次蓄積する処理も行う。
【００５１】
複写装置１は、上述のようにして、大容量記憶部８に蓄積した複数の広告原稿の画像データを読み出して画像表示部１３に表示するとともに、予め設定された時間毎に大容量記憶部８に格納されている複数の広告原稿の画像データを順次読み出して、画像表示部１３への表示を更新する。
【００５２】
すなわち、複写装置１は、上述のようにしてスキャナ／ＩＰＵ４で読み取った複数枚の広告原稿の画像データが大容量記憶部８に蓄積されている状態で、所定時間毎に、メイン制御部２が、現在、画像表示部１３に表示中の広告原稿に対する表示時間が予め設定された規定表示時間を経過したか判断し（ステップＳ２０１）、規定表示時間を経過していないときには、そのまま処理を終了する。
【００５３】
ステップＳ２０１で、規定表示時間を経過していると、メイン制御部２は、大容量記憶部８から次に表示すべき広告のＩＤと表示時間、表示画面数、表示用読出回数、プリント用読出回数、当該画像データを消去する条件、消去条件成立時消去／非消去設定（消去可否設定）を読み出し（ステップＳ２０２）、伸張部１９への伸張設定、画像データ変換部１４への画像表示部１３に表示する画面数に合わせた縮小等の設定、表示メモリコントロール部１１への画像表示部１３のどの部分を更新するかのアドレス設定を行う（ステップＳ２０３）。
【００５４】
メイン制御部２は、上記各種設定を完了すると、次に表示すべき広告のＩＤに対応する広告原稿の画像データを大容量記憶部８から読み出し、当該広告原稿の画像の画像表示部１３への表示を行う（ステップＳ２０４）。このとき、メイン制御部２は、当該大容量記憶部８から読み出した画像データを伸張部１９で伸張処理を施させて、画像データ変換部１４からの主副同期信号に従って画像データ変換部１４に出力させ、例えば、画像表示部１３に広告を２画面表示するために、３００ｄｐｉ、４ｂｉｔ／画素、縮小変換させ、表示メモリコントロール部１１に出力させる。そして、表示メモリコントロール部１１が、メイン制御部２から設定された画像表示部１３の更新する表示メモリ１２のアドレスに、画像データ変換部１４から送られてくる主副同期信号に従って画像データを書き込み、表示メモリ１２から当該デジタル画像データを読み出して画像表示部１３に表示する。
【００５５】
すなわち、図４に示すように、いま、複写装置１は、画像表示部１３に当該画面を左右に２分割して、広告Ａと広告Ｂが表示していて、広告Ａの規定表示時間が経過すると、次に表示する広告Ｃの画像データを大容量記憶部８から読み出し、この広告Ｃの画像データに縮小・フォーマット変換処理を施して、表示メモリ１２の広告Ａの画像データの書き込まれていた左半分に書き込む。複写装置１は、この表示メモリ１２の画像データに基づいて画像表示部１３に広告Ｃと広告Ｂの表示を行う。
【００５６】
次に、メイン制御部２は、画像表示部１３に今回表示させた画像データの消去可否設定を判断し（ステップＳ２０５）、消去可否設定が消去否（ＮＯ）の設定であると、当該画像データの表示回数をクリアして、蓄積データ表示処理を終了する（ステップＳ２０６）。
【００５７】
ステップＳ２０５で、消去可否設定が消去可（ＹＥＳ）の設定であると、メイン制御部２は、当該画像データの表示回数を「１」だけインクリメント（＋１）して（ステップＳ２０７）、消去条件を満たしているか判断する（ステップＳ２０８）。この消去条件は、当該画像データの表示用読出回数またはプリント用読出回数（記録用読出回数）のどちらか一方が予め設定されている規定設定回数を超えている場合、または、表示用読出回数とプリント用読出回数が、それぞれ規定表示用読出設定回数と規定プリント用読出設定回数（規定記録用読出回数）をともに超えている場合である。
【００５８】
ステップＳ２０８で、消去条件を満たしていると、メイン制御部２は、メモリコントロール７を介して、当該画像データを大容量記憶部８から消去し（ステップＳ２０９）、当該画像データに対して設定されている広告表示タイマをクリアするとともに、次に表示する広告原稿の画像データに対する表示時間を設定して蓄積データ表示処理を終了する（ステップＳ２１０）。なお、画像データを大容量記憶部８から消去する場合、メイン制御部２は、当該画像データの消去に先立って、消去条件が整った旨の表示及び画像データを消去してもよいかどうかの問い合わせ表示を操作部３の液晶タッチパネル等に行い、ユーザが消去を許可した場合に当該画像データを大容量記憶部８から消去するようにしてもよい。
【００５９】
ステップＳ２０８で、消去条件を満たしていないときには、メイン制御部２は、画像データの消去を行うことなく、蓄積データ表示処理を終了する。
【００６０】
このように、本実施の形態の複写装置１は、入力される複数の画像データを大容量記憶部８に蓄積し、大容量記憶部８に蓄積されている複数の画像データを個々別々に読み出して、画像表示部１３に表示し、また、プリンタ１０で用紙に記録出力するに際して、大容量記憶部８からの画像データの読出回数を画像データ毎に計数し、当該計数回数を消去条件として、大容量記憶部８に蓄積されている複数の画像データを個別に消去している。
【００６１】
したがって、画像データを消去するためのユーザの負荷を低減することができるとともに、確実に使用された画像データから消去することができ、画像データを有効利用することができるとともに、有限の大容量記憶部８の利用性を容易に向上させることができる。
【００６２】
また、本実施の形態の複写装置１は、画像表示部３に表示するために大容量記憶部８から画像データを読み出す表示用読出回数を読出回数として計数して、当該計数結果を消去条件として、大容量記憶部８に蓄積されている複数の画像データを個別に消去している。
【００６３】
したがって、大容量記憶部８に記憶されている画像データ、例えば、広告の画像データが所定回数表示されてから消去することができ、画像データの有効な表示利用を図ることができるとともに、有限の大容量記憶部８の利用性を容易に向上させることができる。
【００６４】
そして、複写装置１は、大容量記憶部８に蓄積した広告原稿の画像データをプリンタ１０でプリント出力する蓄積データプリント処理を行う。
【００６５】
すなわち、複写装置１は、上記画像データ蓄積処理によりスキャナ／ＩＰＵ４で読み取った複数枚分の広告原稿の画像データが大容量記憶部８に蓄積されている状態で、操作部３からプリントしたい画像データが選択されてコピースタートキーが押下されると、メイン制御部２が、大容量記憶部８からプリントすべき画像データのＩＤ、表示時間、表示画面数、表示用読出回数、プリント用読出回数、当該画像データを消去する条件、消去条件成立時消去／非消去設定（消去可否設定）を読み出し（ステップＳ３０１）、伸張部１９への伸張設定、プリンタ１０への転写紙サイズの設定等を行う（ステップＳ３０２）。
【００６６】
メイン制御部２は、上記各種設定が完了すると、プリンタ１０から送信される主副同期信号に従って、上記操作部３で指定された画像データを大容量記憶部８から読み出してプリンタ１０で用紙に記録出力するプリント処理を行う（ステップＳ３０３）。このプリント処理では、メイン制御部２は、上記画像データを大容量記憶部８から読み出すと、当該画像データを伸張部１９で伸張させてプリンタ１０に転送させ、プリンタ１０で階調処理等を施した後、上述のように、当該画像データに基づいて変調した書込光を一様に帯電された感光体上に照射して、感光体上に静電潜像を形成する。プリンタ１０は、静電潜像の形成された感光体に現像部からトナーを供給して顕像化して、給紙部から搬送されてくる用紙に感光体上のトナー像を転写し、当該トナー像の形成された用紙を定着部に搬送して、定着部でトナー像を用紙に溶融定着させて、画像の形成された用紙複写装置１外に設けられた排紙トレイ上に排出する。
【００６７】
メイン制御部２は、プリンタ１０に画像データを渡すと、プリンタ１０でのプリント処理が終了するのを待って（ステップＳ３０４）、当該画像データの消去条件成立時の消去可否設定を判断し（ステップＳ３０５）、消去否（ＮＯ）の設定であると、当該画像データのプリント用読出回数をクリア（０）して、蓄積データプリント処理を終了する（ステップＳ３０６）。
【００６８】
ステップＳ３０５で、消去可否設定が消去可（ＹＥＳ）の設定になっていると、メイン制御部２は、当該画像データのプリント用読出回数をインクリメント（＋１）して、当該プリント出力した画像データが消去条件を満たしているか判断する（ステップＳ３０８）。この消去条件は、当該画像データの表示用読出回数またはプリント用読出回数のどちらか一方が規定設定回数を超えている場合、または、表示用読出回数とプリント用読出回数が、それぞれ規定表示用読出設定回数と規定プリント用読出設定回数をともに超えている場合である。
【００６９】
ステップＳ３０８で、消去条件を満たしていると、メイン制御部２は、メモリコントロール７を介して、当該画像データを大容量記憶部８から消去して蓄積データプリント処理を終了する（ステップＳ３０９）。なお、画像データを大容量記憶部８から消去する場合、メイン制御部２は、当該画像データの消去に先立って、消去条件が整った旨の表示及び画像データを消去してもよいかどうかの問い合わせ表示を操作部３の液晶タッチパネル等に行い、ユーザが消去を許可した場合に当該画像データを大容量記憶部８から消去するようにしてもよい。
【００７０】
ステップＳ３０８で、消去条件を満たしていないときには、メイン制御部２は、画像データの消去を行うことなく、蓄積データプリント処理を終了する。
【００７１】
このように、本実施の形態の複写装置１は、プリンタ１０で記録出力するために大容量記憶部８から画像データを読み出す記録用読出回数を読出回数として計数して、当該計数結果を消去条件として、大容量記憶部８に蓄積されている複数の画像データを個別に消去している。
【００７２】
したがって、大容量記憶部８に記憶されている画像データ、例えば、広告の画像データが所定回数記録出力されてから消去することができ、画像データの有効な記録出力利用を図ることができるとともに、有限の大容量記憶部８の利用性を容易に向上させることができる。
【００７３】
また、本実施の形態の複写装置１は、画像表示部１３に表示するために大容量記憶部８から画像データを読み出す表示用読出回数と、プリンタ１０で記録出力するために大容量記憶部８から画像データを読み出す記録用読出回数とを、それぞれ個別に係数し、当該計数した表示用読出回数が予め設定された規定表示用読出回数以上であって、かつ、記録用読出回数が予め設定された規定記録用読出回数以上であることを消去条件として、当該消去条件を満たす画像データを大容量記憶部８から消去している。
【００７４】
したがって、大容量記憶部８に記憶されている画像データ、例えば、広告の画像データが所定回数表示され、かつ、所定回数記録出力されてから消去することができ、画像データの有効利用をより一層図ることができるとともに、有限の大容量記憶部８の利用性を容易に向上させることができる。
【００７５】
なお、上記説明では、大容量記憶部８に蓄積されている画像データをプリント出力しているが、複写装置１が、両面コピー機能を備えている場合には、コピーの裏面に対しても、上記蓄積データプリント処理を行うことで、コピーの裏面に広告等の画像データを付加したプリント出力を行うことができるとともに、このような裏面出力の際にも、当該画像データに対して、消去条件に基づく大容量記憶部８からのデータ消去処理を行うことができる。また、複写装置１では、コピー画像と広告画像をメモリコントロール部７で画像合成することもでき、このような場合にも、消去条件に基づく大容量記憶部８からの消去処理を行うことができる。
【００７６】
さらに、複写装置１は、上記大容量記憶部８からの消去処理における消去条件を適宜変更することができ、この消去条件変更処理について、図６に基づいて説明する。
【００７７】
メイン制御部２は、操作部３で消去条件変更モードが選択されて、大容量記憶部８に蓄積されている画像データ（ＩＤ）の選択が行われると（ステップＳ４０１）、当該選択された画像データ（ＩＤ）に対する現在までの表示用読出回数、現在までのプリント用読出回数、消去条件成立時に消去する／しないの設定（消去条件成立時消去／非消去設定）、現在設定されている消去までの表示用読出回数、現在設定されている消去までのプリント用読出回数、現在設定されている消去条件を操作部３の液晶タッチパネル等に表示するとともに、消去を行う条件の選択や消去を可能とする消去条件選択画面を表示する（ステップＳ４０２）。
【００７８】
この消去条件選択画面で変更したい条件の選択が行われると（ステップＳ４０３）、メイン制御部２は、当該選択に応じて、例えば、消去までの表示用読出回数の変更が選択されて、当該表示読取回数の変更設定操作が行われると、当該設定内容に応じて表示読取回数の変更処理を行い（ステップＳ４０４）、または、消去までのプリント用読出回数の変更が選択されて、当該プリント用読出回数の変更設定操作が行われると、当該設定内容に応じてプリント用読出回数の変更処理を行う（ステップＳ４０５）。または、メイン制御部２は、消去条件成立時消去／非消去設定変更が選択されて、当該消去条件成立時の消去／否消去の変更設定操作が行われると、当該設定内容に応じて消去条件成立時に蓄積データを消去するか／消去しないかの消去条件成立時消去／非消去の設定の変更処理を行い（ステップＳ４０７）、そして、画像データの消去が選択操作されると、直ちに当該画像データを消去する（ステップＳ４０７）。
【００７９】
メイン制御部２は、上記変更設定処理を行うと、再条件設定が選択操作されたかチェックし（ステップＳ４０８）、再条件設定が選択されると、ステップＳ４０３に戻って、消去条件選択処理から上記同様に処理して、複数の条件の変更を順次行う（ステップＳ４０３〜Ｓ４０８）。
【００８０】
ステップＳ４０８で、再条件設定が選択されないときには、メイン制御部２は、消去条件変更処理を終了する。
【００８１】
このように、本実施の形態の複写装置１は、大容量記憶部８に蓄積されている複数の画像データの消去条件を適宜変更可能としている。
【００８２】
したがって、ユーザの利用形態に応じて画像データの消去条件を変更することができ、画像データの有効利用を図ることができるとともに、有限の大容量記憶部８のより一層の利用性を容易に向上させることができる。
【００８３】
なお、上記実施の形態においては、画像形成装置として複写装置１に適用した場合について説明したが、画像形成装置としては、複写装置１に限るものではなく、図７に示すような複合装置２０にも同様に適用することができる。
【００８４】
図７において、複合装置２０は、上記複写装置１と同様のメイン制御部２、操作部３、スキャナ／ＩＰＵ４、ＡＤＦ５、圧縮部６、メモリコントローラ部７、大容量記憶部８、伸張部９、プリンタ１０、表示メモリコントロール部１１、表示メモリ１２、画像表示部１３、画像データ変換部１４を備えているとともに、ＦＡＸコントローラ２１とプリンタコントローラ２２等を備えている。この複合装置２０は、上記複写装置１と同様の複写機能を備えているとともに、ＦＡＸコントローラ２１を備えていることからファクシミリ機能を備え、また、プリンタコントローラ２２を備えていることからプリンタ機能を備えている。
【００８５】
したがって、複合装置２０では、スキャナ／ＩＰＵ４、ＦＡＸコントローラ２１、プリンタコントローラ２２からの入力画像データ、例えば、広告画像データを大容量記憶部８に蓄積し、大容量記憶部８に蓄積したこれらの画像データを画像表示部１３で表示し、また、プリンタ１０でプリント出力する。
【００８６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８７】
【発明の効果】
請求項１記載の発明の画像形成装置によれば、入力される複数の画像データを大容量記憶手段に蓄積し、当該大容量記憶手段に蓄積されている複数の画像データを個々別々に読み出して、表示手段に表示し、また、記録手段で用紙に記録出力するに際して、大容量記憶手段からの画像データの読出回数を画像データ毎に計数し、当該計数回数を消去条件として、大容量記憶手段に蓄積されている複数の画像データを個別に消去するので、画像データを消去するためのユーザの負荷を低減することができるとともに、確実に使用された画像データから消去することができ、画像データを有効利用することができるとともに、有限の大容量記憶手段の利用性を容易に向上させることができる。
【００８８】
請求項２記載の発明の画像形成装置によれば、表示手段に表示するために大容量記憶手段から画像データを読み出す表示用読出回数を読出回数として計数して、当該計数結果を消去条件として、大容量記憶手段に蓄積されている複数の画像データを個別に消去するので、大容量記憶手段に記憶されている画像データ、例えば、広告の画像データが所定回数表示されてから消去することができ、画像データの有効な表示利用を図ることができるとともに、有限の大容量記憶手段の利用性を容易に向上させることができる。
【００８９】
請求項３記載の発明の画像形成装置によれば、記録手段で記録出力するために大容量記憶手段から画像データを読み出す記録用読出回数を読出回数として計数して、当該計数結果を消去条件として、大容量記憶手段に蓄積されている複数の画像データを個別に消去するので、大容量記憶手段に記憶されている画像データ、例えば、広告の画像データが所定回数記録出力されてから消去することができ、画像データの有効な記録出力利用を図ることができるとともに、有限の大容量記憶手段の利用性を容易に向上させることができる。
【００９０】
請求項４記載の発明の画像形成装置によれば、表示手段に表示するために大容量記憶手段から画像データを読み出す表示用読出回数と、記録手段で記録出力するために大容量記憶手段から画像データを読み出す記録用読出回数とを、それぞれ個別に係数し、当該計数した表示用読出回数が予め設定された規定表示用読出回数以上であって、かつ、記録用読出回数が予め設定された規定記録用読出回数以上であることを消去条件として、当該消去条件を満たす画像データを大容量記憶手段から消去するので、大容量記憶手段に記憶されている画像データ、例えば、広告の画像データが所定回数表示され、かつ、所定回数記録出力されてから消去することができ、画像データの有効利用をより一層図ることができるとともに、有限の大容量記憶手段の利用性を容易に向上させることができる。
【００９１】
請求項５記載の発明の画像形成装置によれば、大容量記憶手段に蓄積されている複数の画像データの消去条件を適宜変更可能としているので、ユーザの利用形態に応じて画像データの消去条件を変更することができ、画像データの有効利用を図ることができるとともに、有限の大容量記憶手段のより一層の利用性を容易に向上させることができる。
【図面の簡単な説明】
【図１】本発明の画像形成装置の一実施の形態を適用した複写装置の要部ブロック構成図。
【図２】図１の複写装置による画像データ蓄積処理を示すフローチャート。
【図３】図１の複写装置による蓄積データ表示処理を示すフローチャート。
【図４】図３の蓄積データ表示処理の説明図。
【図５】図１の複写装置による蓄積データプリント処理を示すフローチャート。
【図６】図１の複写装置による消去条件変更処理を示すフローチャート。
【図７】本発明の画像形成装置を適用した複合装置の要部ブロック構成図。
【符号の説明】
１　複写装置
２　メイン制御部
３　操作部
４　スキャナ／ＩＰＵ
５　ＡＤＦ
６　圧縮部
７　メモリコントロール部
８　大容量記憶部
９　伸張部
１０　プリンタ
１１　表示メモリコントロール部
１２　表示メモリ
１３　画像表示部
１４　画像データ変換部
２０　複合装置
２１　ＦＡＸコントローラ
２２　プリンタコントローラ
【図１】
2004122657.tif 000003
【図２】
2004122657.tif 000004
【図３】
2004122657.tif 000005
【図４】
2004122657.tif 000006
【図５】
2004122657.tif 000007
【図６】
2004122657.tif 000008
【図７】
2004122657.tif 000009